(57)【要約】      （修正有）【課題】ピクセル密度を向上し、真実度向上したアクティブマトリクス式有機発光ダイオードAMOLEDモニターを提供する。【解決手段】ピクセル配列構造は、基本ユニットとして8個のサブピクセルで4個のピクセルを構成しながら重複配列してなるものであり、前記基本ユニットにおける8個のサブピクセルは、2個の赤色サブピクセル、4個の緑色サブピクセル及び2個の青色サブピクセルを備え、前記2個の赤色サブピクセルが互いに隣接しせず、前記2個の青色サブピクセルが互いに隣接しせず、前記緑色サブピクセルのごとに何れも1個の前記赤色サブピクセル及び1個の前記青色サブピクセルが隣接され、且つ、前記4個の緑色サブピクセルのうち、2個の前記緑色ピクセルが互いに隣接し、他の2個の前記緑色ピクセルが互いに隣接しないので、サブピクセルを減少できる。【選択図】なし【特許請求の範囲】
【請求項１】
基本ユニットとして8個のサブピクセルで4個のピクセルを構成しながら重複配列してなるものであり、
前記基本ユニットにおける8個のサブピクセルは、2個の赤色サブピクセル、4個の緑色サブピクセル及び2個の青色サブピクセルを備え、
前記2個の赤色サブピクセルが互いに隣接しせず、前記2個の青色サブピクセルが互いに隣接しせず、前記8個のサブピクセルのうち少なくとも1個の前記緑色サブピクセルは1個の前記赤色サブピクセル及び1個の前記青色サブピクセルがそれぞれ隣接され、且つ、前記4個の緑色サブピクセルのうち、2個の前記緑色ピクセルが互いに隣接し、他の2個の前記緑色ピクセルが互いに隣接しない、ことを特徴とするアクティブマトリクス式有機発光ダイオードAMOLEDモニターに適用するピクセル配列構造。
【請求項２】
前記基本ユニットにおける8個のサブピクセルは、4行2列に配列される、請求項1に記載のアクティブマトリクス式有機発光ダイオードAMOLEDモニターに適用するピクセル配列構造。
【請求項３】
前記基本ユニットにおける8個のサブピクセルは、2行4列に配列される、請求項1に記載のアクティブマトリクス式有機発光ダイオードAMOLEDモニターに適用するピクセル配列構造。
【発明の詳細な説明】
【技術分野】
【０００１】
本発明は、モニターのピクセル配列構造に関り、特に、アクティブマトリクス式有機発光ダイオードAMOLEDモニターに適用するピクセル配列構造に関る。
【背景技術】
【０００２】
従来のモニターのピクセルの配列は、直線縞状（stripe）、モザイク（Mosaic）、デルタ（Delta）などの配列方式がある。モニターにおけるアクティブマトリクス式有機発光ダイオード（AMOLED）モニターの設計に関しては、配列方式が直線縞状の配列であることが多く、このような直線縞状の配列方法が便利、整然となり、問い扱いも易いので、複雑なレイアウトが必要とならず、幅広く使用されている。
【０００３】
図1に示すように、直線縞状の配列状態を示し、その配列方式が横方向Row1〜Row4において赤色光R、緑色光G、青色光Bをそれぞれ発してから、Col1〜Col12の方向に重複配列され、直線縞状の配列の表示方式を得られる。図1は、4x4ピクセルを示し、且つ各々のピクセルが三個のサブピクセルからなる。
【０００４】
然しながら、直線縞状の配列方式は、12個のサブピクセルで4個のピクセルを表す必要があり、ピクセル密度が制限されることとなり、真実度を効率的に向上できない。
【０００５】
このため、どのように、上記の欠陥を解決できる、アクティブマトリクス式有機発光ダイオードAMOLEDモニターに適用するピクセル配列構造を開発するかについては、本発明の研究動機である。
【発明の概要】
【発明が解決しようとする課題】
【０００６】
本発明の目的は、2個の赤色サブピクセル、2個の青色サブピクセル、4個の緑色サブピクセルなどの8個のサブピクセルで4個のピクセルを表せ、サブピクセルの使用を減少することで、ピクセル密度を向上でき、真実度向上の目的を達成できる、アクティブマトリクス式有機発光ダイオードAMOLEDモニターに適用するピクセル配列構造を提供するものである。
【課題を解決するための手段】
【０００７】
上記の目的を達成するために、本発明は、基本ユニットとして8個のサブピクセルで4個のピクセルを構成しながら重複配列してなるものであり、前記基本ユニットにおける8個のサブピクセルは、2個の赤色サブピクセル、4個の緑色サブピクセル及び2個の青色サブピクセルを備え、前記2個の赤色サブピクセルが互いに隣接しせず、前記2個の青色サブピクセルが互いに隣接しせず、前記8個のサブピクセルのうち少なくとも1個の前記緑色サブピクセルは1個の前記赤色サブピクセル及び1個の前記青色サブピクセルがそれぞれ隣接され、且つ、前記4個の緑色サブピクセルのうち、2個の前記緑色ピクセルが互いに隣接し、他の2個の前記緑色ピクセルが互いに隣接しない、ことを特徴とするアクティブマトリクス式有機発光ダイオードAMOLEDモニターに適用するピクセル配列構造である。
【０００８】
本発明において、前記基本ユニットにおける8個のサブピクセルは、4行2列に配列されることが好ましい。
【０００９】
本発明において、前記基本ユニットにおける8個のサブピクセルは、2行4列に配列されることが好ましい。
【図面の簡単な説明】
【００１０】
【図１】従来のピクセル配列の構造図である。
【図２】本発明の第一実施例に係るAMOLEDピクセル配列構造の概略図である。
【図３】本発明の第二実施例に係るAMOLEDピクセル配列構造の概略図である。
【図４】本発明の第三実施例に係るAMOLEDピクセル配列構造の概略図である。
【図５】本発明の第四実施例に係るAMOLEDピクセル配列構造の概略図である。
【図６】本発明の第五実施例に係るAMOLEDピクセル配列構造の概略図である。
【図７】本発明の第六実施例に係るAMOLEDピクセル配列構造の概略図である。
【発明を実施するための形態】
【００１１】
以下、本発明については、図面及び具体的な実施形態を合わせてさらに説明する。
【００１２】
図2に示すように、本発明の第一実施例は、アクティブマトリクス式有機発光ダイオードAMOLEDモニターに適用するピクセル配列構造を提供するものであり、該ピクセル画素配列構造は、基本ユニットとして8個のサブピクセルで4個のピクセルを構成しながら重複配列してなるものであり、上記基本ユニットにおける8個のサブピクセルが、4行Row2列Colに配列され、且つ2個の赤色サブピクセルR、4個の緑色サブピクセルG及び2個の青色サブピクセルBを備える。後述する相隣とは、同じ行で両方が互いに隣接することであり、又は、同じ列で両方が互いに隣接することである。
【００１３】
上記の基本ユニットにおける8個のサブピクセルにおいて、2個の赤色サブピクセルRが互いに隣接しせず、2個の青色サブピクセルBが互いに隣接しせず、緑色サブピクセルGのごとに何れも1個の上記赤色サブピクセル及び1個の上記青色サブピクセルBが隣接され、且つ、上記4個の緑色サブピクセルGのうち、2個の緑色ピクセルGが互いに隣接し、他の2個の緑色ピクセルGが互いに隣接しない。
【００１４】
本実施例において、図2に示すように、上記の2個の赤色サブピクセルRがそれぞれ第3行第1列及び第1行第2列に位置し、上記の2個の青色サブピクセルBがそれぞれ第2行第1列及び第4行第2列に位置し、上記の4個の緑色サブピクセルGがそれぞれ第1行第1列、第4行第1列、第2行第2列及び第3行第2列に位置する。
【００１５】
上記に、本発明の基本ユニットは、8個のサブピクセルで4個のピクセルを構成するものであり、12個のサブピクセルで4個のピクセルを構成する直線縞状（stripe）の配列方式と比較して、本発明のピクセル密度（Pixels Per Inch；PPIと称する）が同じ面積で制限されず、つまり、本発明がサブピクセルの減少でピクセル密度を向上し、真実度向上の目的を達成できる。
【００１６】
図3に示すように、本発明の第二実施例は、アクティブマトリクス式有機発光ダイオードAMOLEDモニターに適用するピクセル配列構造を提供するものであり、該ピクセル画素配列構造は、同様に、基本ユニットとして8個のサブピクセルで4個のピクセルを構成しながら重複配列してなるものであり、そのサブピクセルの構成及び機能が第一実施例と同じであるので、ここに説明省略する。
【００１７】
第二実施例と第一実施例の異なる点は、上記の2個の赤色サブピクセルRがそれぞれ第2行第1列及び第4行第2列に位置し、上記の2個の青色サブピクセルBがそれぞれ第3行第1列及び第1行第2列に位置し、上記の4個の緑色サブピクセルGがそれぞれ第1行第1列、第4行第1列、第2行第2列及び第3行第2列に位置することにある。
【００１８】
図4に示すように、本発明の第三実施例は、アクティブマトリクス式有機発光ダイオードAMOLEDモニターに適用するピクセル配列構造を提供するものであり、該ピクセル画素配列構造は、同様に、基本ユニットとして8個のサブピクセルで4個のピクセルを構成しながら重複配列してなるものであり、そのサブピクセルの構成及び機能が第一実施例と同じであるので、ここに説明省略する。
【００１９】
第3実施例と第一実施例の異なる点は、上記の2個の赤色サブピクセルRがそれぞれ第1行第1列及び第3行第2列に位置し、上記の2個の青色サブピクセルBがそれぞれ第4行第1列及び第2行第2列に位置し、上記の4個の緑色サブピクセルGがそれぞれ第2行第1列、第3行第1列、第1行第2列及び第4行第2列に位置することにある。
【００２０】
図5に示すように、本発明の第四実施例は、アクティブマトリクス式有機発光ダイオードAMOLEDモニターに適用するピクセル配列構造を提供するものであり、該ピクセル画素配列構造は、同様に、基本ユニットとして8個のサブピクセルで4個のピクセルを構成しながら重複配列してなるものであり、そのサブピクセルの構成及び機能が第一実施例と同じであるので、ここに説明省略する。
【００２１】
第四実施例と第一実施例の異なる点は、上記の2個の赤色サブピクセルRがそれぞれ第4行第1列及び第2行第2列に位置し、上記の2個の青色サブピクセルBがそれぞれ第1行第1列及び第3行第2列に位置し、上記の4個の緑色サブピクセルGがそれぞれ第2行第1列、第3行第1列、第1行第2列及び第4行第2列に位置することにある。
【００２２】
図6に示すように、本発明の第五実施例は、アクティブマトリクス式有機発光ダイオードAMOLEDモニターに適用するピクセル配列構造を提供するものであり、該ピクセル画素配列構造は、同様に、基本ユニットとして8個のサブピクセルで4個のピクセルを構成しながら重複配列してなるものであり、そのサブピクセルの構成及び機能が第一実施例と同じであるので、ここに説明省略する。
【００２３】
上記の基本ユニットにおける8個のサブピクセルは、2行Row4列Colに配列され、且つ、上記の2個の赤色サブピクセルRがそれぞれ第1行第2列及び第2行第4列に位置し、上記の2個の青色サブピクセルBがそれぞれ第2行第1列及び第1行第3列に位置し、上記の4個の緑色サブピクセルGがそれぞれ第1行第1列、第2行第2列、第2行第3列及び第1行第4列に位置する。
【００２４】
図7に示すように、本発明の第六実施例は、アクティブマトリクス式有機発光ダイオードAMOLEDモニターに適用するピクセル配列構造を提供するものであり、該ピクセル画素配列構造は、同様に、基本ユニットとして8個のサブピクセルで4個のピクセルを構成しながら重複配列してなるものであり、そのサブピクセルの構成及び機能が第一実施例と同じであるので、ここに説明省略する。
【００２５】
上記の基本ユニットにおける8個のサブピクセルは、2行4列に配列され、且つ、上記の2個の赤色サブピクセルRがそれぞれ第2行第2列及び第1行第4列に位置し、上記の2個の青色サブピクセルBがそれぞれ第1行第1列及び第2行第3列に位置し、上記の4個の緑色サブピクセルGがそれぞれ第2行第1列、第1行第2列、第3行第3列及び第2行第4列に位置する。
【００２６】
以上のように図面を合わせて本発明を詳しく説明したが、当業者は、上述した内容にて本発明に対して様々な変更を行うことが可能である。このため、実施例における細かいものは、本発明に対する限定を構成せず、請求の範囲で本発明の保護範囲を限定すべきである。
【図１】
2015210518.tif 000002
【図２】
2015210518.tif 000003
【図３】
2015210518.tif 000004
【図４】
2015210518.tif 000005
【図５】
2015210518.tif 000006
【図６】
2015210518.tif 000007
【図７】
2015210518.tif 000008